(57)【要約】下壁（５１）、および下壁（５１）のそれぞれの縁に沿って延びた四つの側壁部（１１，２１，３１）を含み、かつ更に前記側壁部に結合した前壁（６１）を含み、バッグストラップ（３）が連結取付具（１２）によって第一側壁部（１１）に連結された二端を有し、かつバッグストラップ（３）がストラップ通過取付具（４０）を介してバッグ（１）上に延びるバッグ。ストラップ通過取付具（４０）は第一側壁部（１１）と反対側に位置する第二側壁部（２１）に取付けられ、かつバッグストラップ（３）の二端を連結する連結取付具（１２）は第一側壁部（１１）の平面内で枢軸回転可能である。前記ストラップは第一および第二側壁部（１１，２１）に沿ってフラット状態で当接しかつ中間の第三側壁部（３１）に沿ってフラット状態で当接するように構成される。
2005531356.tif 000002
【特許請求の範囲】
【請求項１】
下壁（５１）、および前記下壁（５１）のそれぞれの縁に沿って延びた四つの側壁部（１１，２１，３１，４１）を含み、かつ更に前記側壁部に結合した前壁（６１）を含み、バッグストラップ（３）が連結取付具（１２）によって第一側壁部（１１）に連結された二端を有し、かつ前記バッグストラップ（３）がストラップ通過取付具（４０）を介してバッグ（１）上に伸長するバッグにおいて、
前記ストラップ通過取付具（４０）は第一側壁部（１１）と反対側に位置する第二側壁部（２１）に取付けられ、前記ストラップの二端を連結する前記連結取付具（１２）は第一側壁部（１１）の平面内で枢軸回転可能であり、かつ前記ストラップは第一および第二側壁部（１１，２１）に沿ってフラット状態で当接しかつ中間の第三側壁部（３１）に沿ってフラット状態で当接するように構成されていることを特徴とする、バッグ。
【請求項２】
その間に前記バッグストラップ（３）を受けるための、複数の支持脚（４４）が第三側壁部（３１）の外側に設置されていることを特徴とする、請求項１のバッグ。
【請求項３】
第一および第二側壁部（１１，２１）は第三および第四側部（３１，４１）よりも短いことを特徴とする、請求項１または２のバッグ。
【請求項４】
前記下壁（５１）の外側は布張りされていることを特徴とする、請求項１から３のいずれか１のバッグ。
【請求項５】
前記前壁（６１）は第三側壁部（３１）に沿って蝶番止めされた蓋であることを特徴とする、請求項１から４のいずれか１のバッグ。
【請求項６】
第一、第二および第四側壁部（１１，２１，４１）に前記蓋（６１）の自由縁を結合するジップファスナ（７４）を有することを特徴とする、請求項５のバッグ。
【請求項７】
前記バッグストラップ（３）は、二つの同一肩ループ（４５）を形成するために移動するときに、前記ストラップ通過取付具（４０）を干渉しないように第四側壁部（４１）の近傍に設置された長さ調整取付具（４）を有することを特徴とする、請求項１から６のいずれか１のバッグ。
【発明の詳細な説明】
【技術分野】
【０００１】
本発明は請求項１の導入部に記載の種類のバッグに関する。
【背景技術】
【０００２】
両端がバッグの下部に締結されたストラップを有するバッグは既知（ＵＳ−Ａ５５７７６５２）であり、前記ストラップはバッグの上部に設けられ取付具へ伸長し、かつ前記ストラップは、バッグをバックパックとして主面を垂直方向にして装用できるように、ストラップ取付具を介して相互に同一寸法の二つのループ（各ループがバッグ使用者の各肩のために）を形成する位置へ、または例えばバッグを使用者が肩に懸けて運搬できるように、ストラップが単一の大きいループ（ストラップ取付具と一つのストラップファスナ間に）を形成する一端位置へ移動可能である。
【０００３】
この後者の選択の場合に、バッグの中心はストラップ取付具の平面から或る距離に位置し、バッグは、主面が垂直配向から偏向し、それにより運搬に不快感を与える。
【０００４】
【特許文献１】ＵＳ−Ａ５５７７６５２
【発明の開示】
【発明が解決しようとする課題】
【０００５】
本発明の課題は、かかる欠点を完全または一部解消するバッグを提供することにある。
【０００６】
本発明の他の課題は、前記事例においてバッグの快適な運搬を可能にするストラップループを有するバッグを提供することにある。
【課題を解決するための手段】
【０００７】
上記課題は、本発明により完全または一部達成される。
【０００８】
本発明は添付の請求項１に記載されている。
【０００９】
本発明の他の実施形態は、従属請求項から理解されるであろう。
【００１０】
本発明は、下壁、および前記下壁のそれぞれの縁に沿って延びた四つの側壁部を含み、かつ更に前記下壁と反対側の前壁を含むバッグに関する。好適実施形態において、前記下壁は、概ね矩形であり、かつバッグは概ね平行六面体である。前記前壁は、バッグの側壁部の一つに沿って蝶番止めされた蓋の形態に形成されるのが好ましい。
【００１１】
前記バッグは、バッグの第一側壁部に締結された二端を有するストラップを含む。
【００１２】
本発明の一つの特徴によれば、ストラップ通過取付具が第一側壁部の反対側に位置する第二側壁部に取付けられる。更に、前記ストラップの二端は、第一側壁部の平面内で枢軸回転可能であり、かつ第一側壁部のそれぞれの端領域に位置決めされるのが好ましい装置によって第一側壁部に連結されている。
【００１３】
バッグがショルダバッグとして使用される場合、前記ストラップはそのためにフラットになって三つの側壁部に当接し、かつその側壁部に沿って中央に伸長し、そのショルダストラップのループは第四側壁部に伸長する。前記ストラップおよびストラップループは、それによりバッグの中心部または重心の中心を含む平面に概ね伸長し、それにより使用者は一方の肩に懸けて快適に運搬できる。バッグがバックパックとして使用される場合、ストラップの両端における取付具の枢軸回転運動はストラップの両端を下壁の平面から離れ快適な方向へ誘導する。
【００１４】
本発明の好適実施形態において、バッグの下壁は使用者の背中に快適に接触させるために布張りされている。
【００１５】
第三側壁部は、バッグを地面またはその他の下面上で支持できる複数の支持脚を含むことが好適であり、その場合に前記蓋は第三側壁部に適宜蝶番止めされてよい。前記支持脚は、バッグがショルダバッグとして使用される場合に、第三側壁の外側と接触するストラップに対して空間を提供するように、下壁および前壁のそれぞれの近くに適宜設置される。
【００１６】
前記ストラップは長さ調整取付具を有し、長さ調整取付具は、バッグの二つの使用モードを変換するときにストラップ通過取付具へ長さ調整取付具へ通す必要のない位置において、バッグの第四側壁部に沿って適宜位置決めされる。前記蓋は好適にはバッグの第一、第二および第三側壁部へジップファスナによって適宜連結される。
【００１７】
本発明は上述の二つの使用モード間で容易に調整でき、長さ調整取付具の設置に関していかなる問題も伴うことなくストラップの長さの変更を効果的に可能にする。
【００１８】
本発明を添付図面を参照して例示として以下に説明する。
【発明を実施するための最良の形態】
【００１９】
図１および３は、概ね八角形風の平行六面体のバッグ１を示し、バッグ１はバッグの主面を形成する下壁５１および蓋６１を有する。下壁５１は四つの側壁部１１，２１，３１，４１を含む側壁３０により囲繞され、側壁の各々は下壁５１のそれぞれの縁に結合している。
【００２０】
下壁５１は蝶番手段７０により側壁部３１へ蝶番止めされ、かつジップファスナ７４によって側壁３０へその自由縁に沿って結合している。ストラップ３の両端は取付具１２によって第一側壁部１１へ連結され、取付具１２はフラット、シート状であり、かつ第一側壁部１１の表面に対して直角に延びた枢軸シャフト１３を中心に回転するように、第一側壁部１１の近くで第一側壁部１１と平面平行に設置されている。
【００２１】
ストラップ３は第一側壁１１と反対側に位置する第二側壁部２１上へストラップ通過取付具３０を介して伸長している。図１は長さが調節された状態のストラップ３を示し、この状態においてストラップ３は、側壁部１１，１２がそれぞれ上下に対面するバックパックとしてバッグを使用者の背中に載せて運ぶことができるように、ストラップ通過取付具４０とそれぞれの端取付具１２との間にショルダループ４５を提供する。取付具１２の枢軸回転運動は、取付具１２に連結されたストラップ端の下壁５１の平面、特に側壁部１１と実質的平面平行の面に対する角度を正確にする。バッグが両肩周りにループ４５によって装用される場合に、バッグの装用者に当接するストラップの両縁の圧力差は、取付具１２の枢軸回転運動の結果として小さくでき、装用者の両肩に対するストラップ縁の圧力は、通常、取付具１２を担持する側壁部２１が上方に対面するときに、非常に小さくなる。
【００２２】
図１から理解されるように、側壁３０は第三側壁部３１を含み、第三側壁部３１は支持脚４４を装備し、かつストラップ３は残りの第四側壁部４１に位置する長手部に代表的長さ調整取付具４を有する。
【００２３】
図３は図１および２のバッグを、ストラップ３が側壁部３１および２１に沿って伸長して側壁部３１および２１に対してフラットになる一端位置へストラップ通過取付具４０によって調整された状態で示し、ここではストラップ３は、第四側壁部４１に沿ってストラップループ４６を形成するように側壁３０に沿って支持脚４４間の中心に伸長している。図３は支持脚４４によりフラット下面上に起立したバッグを示し、ストラップはフラット下面から離間保持されている。
【００２４】
ストラップ長さ調整取付具４が第一側壁部１１、即ち取付具１２、の近傍に位置決めされるので、長さ調整取付具は、ストラップ３が二つの同一ショルダループ４５を形成するために移動するときに、ストラップ通過取付具４０を干渉しない。
【００２５】
長さ調整取付具４０の操作によるストラップ長の変更は、従って、図１および３にそれぞれ示された二つの使用モード間でのバッグを転換時に、いかなる有害影響をも与えない。
【００２６】
本発明の結果として、図１の状態においてバッグが、ストラップループ４６によって形成される面における質量の実質的中心または重量の実質的中心で運搬でき、それによりバッグ使用者の一方の肩にストラップループ４６を懸けて快適に運搬できる。バッグは、また、図１および３による二つの使用モード間を容易に転換させることができる。バッグは、更に、蓋６１がバッグの主部から離れて開放する程度を制限するための適宜手段を有してよい。
【図面の簡単な説明】
【００２７】
【図１】本発明によるバッグの一つの主面の概略的平面図である。
【図２】図１のII-II線から見た図である。
【図３】図１によるバッグの第二主面の平面図であるがストラップは移動している。
【図４】図３のIV-IV線から見た図である。
【図１】
2005531356.tif 000003
【図２】
2005531356.tif 000004
【図３】
2005531356.tif 000005
【図４】
2005531356.tif 000006
【国際調査報告】
2005531356.tif 000007
2005531356.tif 000008
2005531356.tif 000009